(57)【要約】【課題】棚板への取付の自由度が高く、また棚板から外れにくい。【解決手段】複数のスタンドピン１と、スタンドピン１にわたって張り渡されるワイヤ２からなり、スタンドピン１は、木ネジ３により棚板Ｐ上面に固定される台座４と、台座４の雄ネジ部４ａに着脱自在な雌ネジ部６ｂを有するピン本体５と、ピン本体５に設けられたワイヤ装着溝８にワイヤ２を嵌入して固定可能な固定ビス９とを具備した。【選択図】        図１
0003112837.tif 000002
【実用新案登録請求の範囲】
【請求項１】
棚板に取付けられて載置物の落下や移動を防止する棚用落下防止具であって、
複数のスタンドピンと、前記スタンドピン間にわたって張り渡されるワイヤからなり、
前記スタンドピンは、ピン固定具により棚板に固定されるネジ部付き台座と、
前記台座のネジ部に嵌合されるネジ部を有するピン本体と、
前記ピン本体に設けられたワイヤ装着溝に、前記ワイヤを嵌入して固定可能なワイヤ固定具とを具備した
棚用落下防止具。
【請求項２】
ピン本体を、ネジ部を有する基台部と、該基台部の上部に垂直軸心回りに回転自在に取付けられてワイヤ装着溝を有する連結部とで構成した
請求項１記載の棚用落下防止具。
【請求項３】
連結部にワイヤ装着溝を上方から横断する方向に形成し、
ワイヤ固定具を、前記ワイヤ装着溝に上方から形成されたネジ溝に螺合される固定ビスとした
請求項２記載の棚用落下防止具。
【考案の詳細な説明】
【技術分野】
【０００１】
本考案は、たとえば陳列棚などに取付けられて棚板から載置物の落下を防止するための棚用落下防止具（コロビ止め）に関する。
【背景技術】
【０００２】
従来、棚板に取付けられて載置物の落下を防止するものは、たとえば特許文献１に見られるように、落下防止用のガード（枠材）を起伏自在に設けたもののように、棚板に枠材を取り付けるのが一般的である。
【０００３】
このような落下防止具の基本的な構成は、図６に示すように、棚板５１に木ネジ５２によりスタンド支柱５３を立設固定し、装着孔５５を有するキャップ５４のロッド部５４ａを前記スタンド支柱５３の縦孔５３ａに嵌合してビス５６止めし、複数のスタンド支柱５３のキャップ５４の装着孔５５間に、渡しロッド５７を嵌合して取り付けるものである。
【特許文献１】実開平５−７２２５７号公報
【考案の開示】
【考案が解決しようとする課題】
【０００４】
しかしながら、従来の落下防止具では、渡しロッド５７の長さや位置に合わせてスタンド支柱を精度良く立設する必要があり、さらにキャップ５４の装着孔５５は、渡しロッド５７の両端部、中間部、９０°の交差部など複数種類を容易する必要があり、このため、取付の自由度が低いという問題があった。またスタンド支柱５３が傾いたり、キヤップ５４が外れたりして渡しロッド５７の一端がスタンド支柱５３から外れると、渡しロッド５７の他端も外れやすくなり、載置物の落下につながるおそれがあった。
【０００５】
本考案は上記問題点を解決して、棚板への取付が容易でかつ自由度が高く、また棚板から外れにくい棚用落下防止具を提供することを目的とする。
【課題を解決するための手段】
【０００６】
請求項１記載の考案は、棚板に取付けられて載置物の落下や移動を防止する棚用落下防止具であって、複数のスタンドピンと、前記スタンドピン間にわたって張り渡されるワイヤからなり、前記スタンドピンは、ピン固定具により棚板に固定されるネジ部付き台座と、前記台座のネジ部に嵌合されるネジ部を有するピン本体と、前記ピン本体に設けられたワイヤ装着溝に、前記ワイヤを嵌入して固定可能なワイヤ固定具とを具備したものである。
【０００７】
請求項２記載の考案は、ピン本体を、ネジ部を有する基台部と、該基台部の上部に垂直軸心回りに回転自在に取付けられてワイヤ装着溝を有する連結部とで構成したものである。
【０００８】
請求項３記載の考案は、連結部にワイヤ装着溝を上方から横断する方向に形成し、ワイヤ固定具を、前記ワイヤ装着溝に上方から形成されたネジ溝に螺合される固定ビスとしたものである。
【考案の効果】
【０００９】
請求項１記載の考案によれば、ピン固定具により棚板の所定位置に台座を取り付け、台座にネジ部を介してピン本体を螺着し、ワイヤをスタンドピンのワイヤ装着溝に挿入して、ワイヤを緊張させた状態でワイヤ固定具でワイヤを固定することにより、棚板に装着する。したがって、ワイヤが自在に折り曲げられることから、ワイヤ装着溝の形態も１種類でよく、またスタンドピンを任意位置に立設することができてスタンドピンの位置精度を要求されることがない。これにより取付の自由度を向上させることができる。さらにピン本体は、ワイヤに連結されていることから回転して台座から離脱することがない。さらに一箇所のスタンドピンが外れたり、スタンドピンからワイヤが外れ緩むことがあっても、隣接するスタンドピンが外れたり、隣接するスタンドピンからワイヤが外れにくい。
【００１０】
請求項２記載の考案によれば、ワイヤ装着溝が形成された連結部を基台部に回転自在に設けたので、台座に対するピン本体の締め付け固定位置に関係なくワイヤ装着溝の方向を自在に設定できるので、ワイヤ張設方向の自由度が増大する。
【００１１】
請求項３記載の考案によれば、固定ビスにより、ワイヤを緊張した状態でワイヤを固定すればよく、容易かつ短時間でワイヤを装着することができる。
【考案を実施するための最良の形態】
【００１２】
以下、本考案の実施の形態を図面に基づいて説明する。
［実施の形態］
図１〜図３に示すように、この棚用落下防止具は、棚板Ｐに立設固定される複数のスタンドピン１と、前記スタンドピン１にわたって張り渡されたワイヤ２から構成されている。前記スタンドピン１は、ピン固定具である木ネジ３により棚板Ｐの上面に固定される台座４と、台座４に着脱自在なピン本体５からなる。そしてピン本体５は、基台部６と、基台部６上に垂直軸心回りに回転自在に取付けられた連結部７とを具備し、前記連結部７にワイヤ装着溝８が形成されている。さらにワイヤ装着溝８に、ワイヤ２を嵌入して固定可能な固定ビス（ワイヤ固定具）９が装着される。
【００１３】
前記台座４は、外周部に雄ねじ部（ネジ部）４ａが形成されるとともに、中心部に座ぐり面４ｃを有する貫通孔４ｂが形成されている。
前記基台部６は、下面に開口する中空部６ａを有する円筒形で、中空部６ａの下部に雌ねじ部（ネジ部）６ｂが形成されている。また上面の中心に連結孔６ｃが貫通されている。
【００１４】
前記連結部７は、上部が半球体部７ａに形成され、下面に前記連結孔６ｃに回転自在に嵌合されるネック部７ｂが形成されている。このネック部７ｂは円筒状に形成され、連結孔６ｃに嵌合された後、かしめ具により下端側から押圧されて拡開されて取付けられ、回転自在でかつ抜け止めされている。また半球体部７ａには、ワイヤ装着溝８が上方と左右側方に開口されて横断方向に形成され、その底部に沿ってワイヤ２が嵌入着底される。そして、ワイヤ装着溝８の中心位置で対向面に上方からネジ溝９ａ，９ａが形成され、このネジ溝９ａに固定ビス９が螺着されてワイヤ２が固定されている。
【００１５】
前記ワイヤ２は、鋼細線の縒り線２ａに被覆樹脂２ｂがコーティングされており、切断しても縒り線２ａがほつれることがなく、容易に切断することができるものである。
この落下防止具を棚板Ｐに取り付ける場合には、図４（ａ）に示すように、まず棚板Ｐの所定位置に、木ネジ３により台座４を固定する。次いで、図４（ｂ）に示すように、各台座４にピン本体５をネジ部４ａ，６ｂを介して装着し、締め付けて固定する。
【００１６】
さらに、図４（ｃ）に示すように、一端部のスタンドピン１のワイヤ装着溝８にワイヤ２の端部を嵌入し、固定ビス９を装着して締め付けワイヤ２の一端部を固定する。そしてワイヤ２を隣接するスタンドピン１のワイヤ装着溝８に順次嵌入して、ワイヤ２の他端部を引っ張って緊張させた状態で、一端側のスタンドピン１から順に固定ビス９を装着して締め付け、ワイヤ２を固定する。そして他端部のスタンドピン１にワイヤ２が固定されると、ワイヤ２の他端部を切断する。
【００１７】
上記構成によれば、ワイヤ２が自在に折り曲げられることから、スタンドピン１に形成するワイヤ装着溝８も横断方向に形成した直線状のもの１種類でよい。また図４（ｃ）に示すように、スタンドピン１とスタンドピン１の間に棚板Ｐに固定された障害物があっても容易に迂回することができ、さらにスタンドピン１’のように、載置物や展示形態に対応して角度の異なる任意位置に立設することができ、設計の自由度を向上させることができる。さらにピン本体５は、ワイヤ５に連結されていることから回転して台座４から離脱することがない。さらに一箇所のスタンドピン１が外れたり、スタンドピン１からワイヤ２が外れて緩むことがあっても、隣接するスタンドピン１は、ワイヤ２で連結されているので、スタンドピン１からワイヤ２が外れたり、スタンドピン１が棚板Ｐから離脱することがない。
【００１８】
またワイヤ装着溝８が形成された連結部７を基台部６に回転自在に設けたので、台座４に対するピン本体５の締め付け固定位置に関係なくワイヤ装着溝８の方向を任意設定でき、ワイヤ２の張設方向の自由度を増大させることができる。さらに、固定ビス９により、緊張させたワイヤ２をスタンドピン１のワイヤ装着溝８に順次固定していけばよく、容易かつ短時間でワイヤ２をスタンドピン１に装着固定することができ、落下防止具を短時間で容易に装着することができる。
【００１９】
なお、ピン固定具として木ネジ３を使用したが、図５に示すように、固定ビス１１とナット１２とを使用することもでき、また棚板内に植設した打ち込みナットと固定ビスなどを使用することができる。
【図面の簡単な説明】
【００２０】
【図１】本考案に係る棚用落下防止具の実施の形態を示し、（ａ）は正面断面図、（ｂ）は側面図である。
【図２】同棚用落下防止具の分解正面断面図である。
【図３】同棚用落下防止具の分解斜視図である。
【図４】（ａ）〜（ｃ）は同棚用落下防止具の取付手順を示す斜視図である。
【図５】同棚用落下防止具の変形例を示す側面部分断面図である。
【図６】従来の棚用落下防止具を示す正面断面図である。
【符号の説明】
【００２１】
Ｐ    棚板
１    スタンドピン
２    ワイヤ
３    木ネジ
４    台座
４ａ  雄ネジ部
５    ピン本体
６    基台部
６ｂ  雌ネジ部
７    連結部
７ａ  半球体部
８    ワイヤ装着溝
９    固定ビス
９ａ  ネジ溝
【図１】
0003112837.tif 000003
【図２】
0003112837.tif 000004
【図３】
0003112837.tif 000005
【図４】
0003112837.tif 000006
【図５】
0003112837.tif 000007
【図６】
0003112837.tif 000008